(57)【要約】      （修正有）【課題】ロック片のロックが解除されていても、対象物から保持具が外れることを防止可能な保持具を提供する。【解決手段】長尺体を保持する保持部１０に取付部５０が配設され、保持部１０は、ベース１１に配設され、ベース１１と共に長尺体を挟持する挟持部２０と、挟持部２０の自由端に形成されたロック片３０を有し、ベース１１には、ロック片３０を受領してロックする受領部１２が形成され、取付部５０は、対向配置された第１の係合脚部５１及び第２の係合脚部と、第３の係合脚部５３を備え、第１の係合脚部５１、第２の係合脚部及び第３の係合脚部５３は、弾性変形することによりシャーシの係合穴に挿入され、弾性復元することにより係合爪をシャーシに係合させ、第１の係合脚部５１及び第２の係合脚部は、受領部１２に受領されたロック片３０に押圧されて係合穴を画定する縁部に当接し、前記係合をロックする。【選択図】図１
2009068562.tif 000002
【特許請求の範囲】
【請求項１】
長尺体を保持する保持部と、当該保持部の底面に配設された取付部とを備え、当該取付部を対象物に形成された係合穴に挿入した際に、当該取付部が前記対象物に係合し、当該対象物に固定される保持具であって、
前記保持部は、ベースと、当該ベースに配設され、該ベースと共に前記長尺体を挟持可能な挟持部と、当該挟持部の自由端に形成されたロック片と、を有し、前記ベースには、前記ロック片を受領して当該ロック片を着脱可能にロックする受領部が形成されてなり、
前記取付部は、前記対象物に固定される際に、前記受領部から当該対象物に近づく方向に延出され且つ互いに所定の間隔をおいて対向配置された第１の係合脚部及び第２の係合脚部と、前記ベースから当該第１の係合脚部及び第２の係合脚部の延出方向に延出された第３の係合脚部と、を有し、当該第１の係合脚部、第２の係合脚部及び第３の係合脚部の各々の自由端には、前記係合穴に挿入された際に、当該係合穴を画定する縁部側となる方向に突出する係合爪が形成されており、前記第３の係合脚部に形成された係合爪は、前記第１の係合脚部及び第２の係合脚部に形成された係合爪とは異なった方向に突出してなり、
前記第１の係合脚部、第２の係合脚部及び第３の係合脚部は、弾性変形することにより前記係合穴に挿入され、弾性復元することにより前記係合爪を前記対象物に係合させ、当該第１の係合脚部及び第２の係合脚部は、前記受領部に前記ロック片を受領させた際に、当該ロック片に押圧されて前記係合穴を画定する縁部に当接し、前記係合をロックする保持具。
【請求項２】
長尺体を保持する保持部と、当該保持部の底面に配設された取付部とを備え、当該取付部を対象物に形成された係合穴に挿入した際に、当該取付部が前記対象物に係合し、当該対象物に固定される保持具であって、
前記保持部は、ベースと、当該ベースに配設され、該ベースと共に前記長尺体を挟持可能な挟持部と、当該挟持部の自由端に形成されたロック片と、を有し、前記ベースには、前記ロック片を受領して当該ロック片を着脱可能にロックする受領部が形成されてなり、
前記挟持部は、前記ベースから立設された立設部と、当該立設部の当該ベースから離れた端部から略垂直に屈曲して形成された挟持片と、を有し、前記立設部は、前記ベースに設けられた第１の立設部と、前記挟持片が設けられた第２の立設部と、当該第１の立設部と第２の立設部とを接続するヒンジ部と、を備えてなり、
前記取付部は、前記対象物に固定される際に、前記受領部から当該対象物に近づく方向に延出され且つ互いに所定の間隔をおいて対向配置された第１の係合脚部及び第２の係合脚部を有し、当該第１の係合脚部及び第２の係合脚部の各々の自由端には、前記係合穴に挿入された際に、当該係合穴を画定する縁部側となる方向に突出する係合爪が形成されてなり、
前記第１の係合脚部及び第２の係合脚部は、弾性変形することにより前記係合穴に挿入され、弾性復元することにより前記係合爪を前記対象物に係合させ、前記受領部に前記ロック片を受領させた際に、当該ロック片に押圧されて前記係合穴を画定する縁部に当接し、前記係合をロックする保持具。
【請求項３】
前記取付部は、前記ベースから前記第１の係合脚部及び第２の係合脚部の延出方向に延出された第３の係合脚部をさらに備え、当該第３の係合脚部の自由端には、前記係合穴に挿入された際に、当該係合穴を画定する縁部側となる方向且つ前記第１の係合脚部及び第２の係合脚部に形成された係合爪とは異なった方向に突出する係合爪が形成されてなり、
前記第３の係合脚部は、弾性変形することにより前記係合穴に挿入され、弾性復元することにより当該第３の係合脚部の自由端に形成された係合爪を前記対象物に係合させる請求項２記載の保持具。
【請求項４】
前記取付部は、前記ベースから前記第３の係合脚部の延出方向に延出され且つ当該第３の係合脚部の係合爪が形成されている側とは反対側に、当該第３の係合脚部と所定の間隔をおいて配設され、前記第３の係合脚部が弾性変形した際に、当該第３の係合脚部を係止可能な係止部をさらに備えた請求項１または請求項３記載の保持具。
【請求項５】
前記ベースから前記ヒンジ部までの高さと、ベースから前記受領部の前記ロック片を受領する入口端までの高さが、略同一である請求項２または請求項３記載の保持具。
【請求項６】
前記第１の係合脚部及び第２の係合脚部の各々に、当該第１の係合脚部と第２の係合脚部を互いに近づく方向に押圧可能な押圧操作部を形成してなる請求項１ないし請求項５のいずれか一項に記載の保持具。
【請求項７】
前記取付部は、前記対象物に固定される際に、前記ベースから当該対象物に近づくよう傾斜して延出され且つ当該対象物の当該ベースと対向する面に当接する当接片をさらに備え、前記係合爪と当該当接片によって前記対象物を挟持する請求項１ないし請求項６のいずれか一項に記載の保持具。
【発明の詳細な説明】
【技術分野】
【０００１】
本発明は、例えば、電気・電子機器類の基板に電線等の長尺体や様々な部品を取付けて保持するために用いる保持具に関する。
【背景技術】
【０００２】
従来から、電気機器類や自動車等の内部には、様々な部品や電線等の長尺体が多数配されている。これらの長尺体は、電気機器類や自動車等の製造や点検、修理の際に作業がしやすいよう、また、電気機器類の通常動作の際に、電線等の長尺体が他の部品に当たり擦れて傷ついたり、不用意に引っ張られて外れたりすることを防止する必要がある。そこで、これらの長尺体を整理して束ね、シャーシや基板等の対象物に留め付ける保持具が各種紹介されている。
【０００３】
このような保持具として、例えば、ベースと、当該ベースの上面から略垂直に立設された垂直部と、ヒンジ部を介して当該垂直部から略水平に延出した挟持片と、挟持片の自由端に形成されたロック片と、前記ベースの底面に形成された複数の取付片とを備えたものがある。この保持具は、当該保持具が固定される対象物（シャーシや基板等）に形成された係合穴に、前記取付片を係合させ、前記ベース、垂直部、ヒンジ部、挟持片及びロック片を備えて構成される保持部によって画定される空間内に長尺体を配置し、前記ロック片を対象物に形成された係合穴や、ベースに形成された挿入穴に挿入して、対象物と係合させることで、前記長尺体を保持するものがある。
【０００４】
具体的には、例えば、前記ベースに前記取付片が２つ配設されており、シャーシに形成された２つの係合穴に、当該取付片を各々挿入し、前記保持部によって画定される空間内に複数の長尺体を配置して前記ロック片と前記係合穴とを係合させると、前記保持部及びロック片のいずれか一方または両方が弾性変形して、前記ベースを特定方向へ押し付ける状態になるクランプが紹介されている。（例えば、特許文献１参照）。
【０００５】
また、前記ベースの底面に、シャーシに形成された係合穴の内縁部に一方向から嵌合して内縁部を挟持する取付片を各々配設すると共に、シャーシに設けられた係止穴の内縁部に係合して反対方向への移動を係止する係止体を配設し、前記係止体を係止穴との係合から解除し、ベースを反対方向にスライドすることで２つの取付片を係合穴から引き出すことで取外しが可能になる保持具も紹介されている。（例えば、特許文献２参照）。
【０００６】
さらにまた、前記ベースに挿入口を開口形成し、該挿入口には係止部と、シャーシ方向に延設して薄板状の係止脚部（取付片）が形成されており、且つ該係止脚部の自由端が鉤爪状に形成され、使用時には前記挿入口内つまり係止脚部と係止脚部との間にロック片を挿入し、前記係止部に前記ロック片を係止させ、前記ベースには薄板状の弾性押圧片がシャーシ方向へ斜めにむけて形成された保持具も紹介されている。（例えば、特許文献３参照）。
【特許文献１】特開２００１−２８９３５８号公報
【特許文献２】特開２００４−２３９３２５号公報
【特許文献３】特開２００６−２１１７３６号公報
【発明の開示】
【発明が解決しようとする課題】
【０００７】
しかしながら、特許文献１に記載された保持具は、シャーシに形成された２つの係合穴に２つの取付片を各々挿入し、前記ロック片を一方の係合穴に係合させる（ロック片をロック状態にする）ことで２つの取付片をシャーシに押しつける動作によってシャーシに固定されるため、当該ロック片が前記係合穴から抜脱されると、２つの取付片は、シャーシに押しつけられる力から解放されることになる。したがって、シャーシから保持具が外れ易くなる虞がある。
【０００８】
また、特許文献２に記載された保持具は、２つの取付片と、１つの係止体を挿入する合計３つの穴を予めシャーシに形成しておく必要がある。具体的には、これらの穴のうち、２つの取付片を挿入して係止させる穴は四角形に形成し、係止体を挿入して係止させる穴は丸穴形状に形成するため、予めシャーシに２種類の穴を形成しておく必要があり、板金加工コストが高くついてしまう。
【０００９】
そしてまた、特許文献３に記載された保持具は、互いに対向配置された一対の係止脚部（取付片）を、シャーシに予め形成されている穴に挿入し、使用時には、係止脚部と係止脚部との間に形成された挿入口にロック片を挿入して係止部へロック片を係止させる（ロック片をロック状態にする）ことで、一対の係止脚部をシャーシに対し押しつけて、当該シャーシに保持具を固定しているため、当該ロック片が挿入口から抜脱されると、一対の係止脚部がシャーシに押しつけられる力から解放されることになる。したがって、シャーシから保持具が外れ易くなる虞がある。
【００１０】
また、前述した保持具では、保持部によって画定される空間内に大径の長尺体を保持させたり、多数の長尺体を保持させる場合、これら長尺体の保持スペースを確保するため、前記保持部によって画定される空間を大きくする必要がある。そこで、垂直部の長さ（高さ）を長くすることが考えられるが、この場合は、ヒンジ部の位置がシャーシ面から離れるため、ヒンジ部とロック片を挿入する係合穴や挿入口との高さ（シャーシの面に対し垂直方向の位置）が異なることになり、前記シャーシに形成された係合穴や、ベースに形成された挿入口にロック片をスムーズに挿入することが困難となる。
【００１１】
本発明は、このような事情に鑑みなされたものであり、保持部の先端に形成されているロック片がロック状態にあり、当該保持部に長尺体が保持されている場合は勿論のこと、前記ロック片のロックが解除されている場合であっても、シャーシや基板等の対象物から保持具が外れることを防止可能な保持具を提供することを目的とする。
【００１２】
また、本発明は、保持部によって画定される空間内に大径の長尺体を保持させたり、多数の長尺体を保持させる等のため、前記保持部によって画定される空間を大きくした場合であっても、ロック片をスムーズにロック状態とすることが可能であり、長尺体を保持する作業性を向上することができる保持具を提供することを目的とする。
【課題を解決するための手段】
【００１３】
この目的を達成するため本発明は、長尺体を保持する保持部と、当該保持部の底面に配設された取付部とを備え、当該取付部を対象物に形成された係合穴に挿入した際に、当該取付部が前記対象物に係合し、当該対象物に固定される保持具であって、前記保持部は、ベースと、当該ベースに配設され、該ベースと共に前記長尺体を挟持可能な挟持部と、当該挟持部の自由端に形成されたロック片と、を有し、前記ベースには、前記ロック片を受領して当該ロック片を着脱可能にロックする受領部が形成されてなり、前記取付部は、前記対象物に固定される際に、前記受領部から当該対象物に近づく方向に延出され且つ互いに所定の間隔をおいて対向配置された第１の係合脚部及び第２の係合脚部と、前記ベースから当該第１の係合脚部及び第２の係合脚部の延出方向に延出された第３の係合脚部と、を有し、当該第１の係合脚部、第２の係合脚部及び第３の係合脚部の各々の自由端には、前記係合穴に挿入された際に、当該係合穴を画定する縁部側となる方向に突出する係合爪が形成されており、前記第３の係合脚部に形成された係合爪は、前記第１の係合脚部及び第２の係合脚部に形成された係合爪とは異なった方向に突出してなり、前記第１の係合脚部、第２の係合脚部及び第３の係合脚部は、弾性変形することにより前記係合穴に挿入され、弾性復元することにより前記係合爪を前記対象物に係合させ、当該第１の係合脚部及び第２の係合脚部は、前記受領部に前記ロック片を受領させた際に、当該ロック片に押圧されて前記係合穴を画定する縁部に当接し、前記係合をロックする保持具を提供するものである。
【００１４】
この構成を備えた保持具は、対象物に形成された係合穴に、第１の係合脚部、第２の係合脚部及び第３の係合脚部を挿入することで、前記各々の係合脚部に形成された係合爪を当該対象物に各々係合させ、当該対象物に固定されるが、この時、前記ロック片を前記受領部に受領させる（ロック片をロック状態にする）ことで、前記第１の係合脚部及び第２の係合脚部が当該ロック片に押圧されて前記係合穴を画定する縁部に当接し、前記係合をロックすることができる。したがって、保持具を対象物に確実に固定することができる。ここで、第１の係合脚部及び第２の係合脚部に形成された各々の係合爪は、互いに反対の方向に突出しており、さらに第３の係合脚部に形成された係合爪は、当該第１の係合脚部及び第２の係合脚部に形成された係合爪とは、異なった方向に突出している（すなわち、同一線上となる方向には突出されていない）。したがって、前記受領部からロック片が抜脱された際（ロック片がロックされていない状態の際）は、前記第１の係合脚部及び第２の係合脚部は、前記縁部に対し積極的に押圧される力から解放されることになり、受領部にロック片が受領されていた時と比較すると、前記第１の係合脚部及び第２の係合脚部に形成されている係合爪と対象物との係合力は弱くなるが、第３の係合脚部に形成された係合爪と対象物との係合は、この押圧力には殆ど影響を受けないため、保持具が対象物から落下したり外れたりすることを防止することができる。
【００１５】
また、本発明は、長尺体を保持する保持部と、当該保持部の底面に配設された取付部とを備え、当該取付部を対象物に形成された係合穴に挿入した際に、当該取付部が前記対象物に係合し、当該対象物に固定される保持具であって、前記保持部は、ベースと、当該ベースに配設され、該ベースと共に前記長尺体を挟持可能な挟持部と、当該挟持部の自由端に形成されたロック片と、を有し、前記ベースには、前記ロック片を受領して当該ロック片を着脱可能にロックする受領部が形成されてなり、前記挟持部は、前記ベースから立設された立設部と、当該立設部の当該ベースから離れた端部から略垂直に屈曲した挟持片と、を有し、前記立設部は、前記ベースに設けられた第１の立設部と、前記挟持片が設けられた第２の立設部と、当該第１の立設部と第２の立設部とを接続するヒンジ部と、を備えてなり、前記取付部は、前記対象物に固定される際に、前記受領部から当該対象物に近づく方向に延出され且つ互いに所定の間隔をおいて対向配置された第１の係合脚部及び第２の係合脚部を有し、当該第１の係合脚部及び第２の係合脚部の各々の自由端には、前記係合穴に挿入された際に、当該係合穴を画定する縁部側となる方向に突出する係合爪が形成されてなり、前記第１の係合脚部及び第２の係合脚部は、弾性変形することにより前記係合穴に挿入され、弾性復元することにより前記係合爪を前記対象物に係合させ、前記受領部に前記ロック片を受領させた際に、当該ロック片に押圧されて前記係合穴を画定する縁部に当接し、前記係合をロックする保持具を提供するものである。
【００１６】
この構成を備えた保持具は、ベースと共に長尺体を挟持する挟持部が、前記立設部と挟持片とを有し、前記立設部は、前記ベースに設けられた第１の立設部と、前記挟持片が設けられた第２の立設部と、当該第１の立設部と第２の立設部とを接続するヒンジ部とを備えて構成されている。このため、前記保持部によって画定される空間内に大径の長尺体を保持させたり、多数の長尺体を保持させる等の目的で、前記保持部によって画定される空間を大きくしたい場合は、前記第２の立設部の長さを長くすることにより、ヒンジ部の位置を変更することなく、当該空間を大きくすることができる。したがって、前記空間の大きさに関わらず、ヒンジ部と受領部のロック片を受領する受領口端との高さが異なることを抑制することができるため、受領部に対するロック片の方向が斜めになったりすることがなく、ロック片を最適な方向から受領部に受領させることができ、ロック片をスムーズに受領させる（挿入する）ことができる。
【００１７】
また、この構成を備えた保持具では、前記取付部は、前記ベースから前記第１の係合脚部及び第２の係合脚部の延出方向に延出された第３の係合脚部をさらに備え、当該第３の係合脚部の自由端には、前記係合穴に挿入された際に、当該係合穴を画定する縁部側となる方向且つ前記第１の係合脚部及び第２の係合脚部に形成された係合爪とは異なった方向に突出する係合爪が形成されてなり、前記第３の係合脚部は、弾性変形することにより前記係合穴に挿入され、弾性復元することにより当該第３の係合脚部の自由端に形成された係合爪を前記対象物に係合させる構成を備えることができる。このようにすることで、受領部にロック片をスムーズに受領させることができるという利点に加え、前記保持具は、前述したように、第１の係合脚部、第２の係合脚部及び第３の係合脚部の各々に形成された係合爪を前記対象物に係合させることで、当該対象物に固定されるため、保持具が対象物から落下したり外れたりすることを防止することができる。
【００１８】
そしてまた、この構成を備えた保持具では、前記取付部は、前記ベースから前記第３の係合脚部の延出方向に延出され且つ当該第３の係合脚部の係合爪が形成されている側とは反対側に、当該第３の係合脚部と所定の間隔をおいて配設され、前記第３の係合脚部が弾性変形した際に、当該第３の係合脚部を係止可能な係止部をさらに備えることができる。このように構成することで、前記利点に加え、前記第３の係合脚部が弾性変形により係合穴に挿入される際に、当該第３の係合脚部が、前記係合穴を画定する縁部から離れる方向に倒れすぎることを防止することができる。したがって、第３の係合脚部が限界を越えて弾性変形することがないため、第３の係合脚部の弾性変形及び弾性復元の寿命を向上させることができる。
【００１９】
また、本発明にかかる保持具は、前記ベースから前記ヒンジ部までの高さと、ベースから前記受領部の前記ロック片を受領する入口端までの高さを、略同一にすることがより好ましい。このように構成することで、前記保持部によって画定される空間の大きさに関わらず、受領部にロック片をより一層スムーズに受領させる（挿入する）ことができる。
【００２０】
さらにまた、本発明にかかる保持具は、前記第１の係合脚部及び第２の係合脚部の各々に、当該第１の係合脚部と第２の係合脚部を互いに近づく方向に押圧可能な押圧操作部を形成することができる。この構成を備えた保持具は、例えば、指等で押圧操作部を軽く押すだけで、第１の係合脚部及び第２の係合脚部の各々に形成された係合爪と、対象物との係合を簡単に解除することができる。したがって、保持具を対象物から簡単に取外すことができる。
【００２１】
また、本発明にかかる保持具は、前記取付部が、前記対象物に固定される際に、前記ベースから当該対象物に近づくよう傾斜して延出され且つ当該対象物の当該ベースと対向する面に当接する当接片をさらに備え、前記係合爪と当該当接片によって前記対象物を挟持するよう構成することもできる。この構成を備えた保持具は、前記係合爪と当該当接片によって前記対象物を挟持することができるため、さらに保持具を対象物に確実に固定することができる。また、当接片が弾性変形及び弾性復元する性質を有している際は、固定具が対象物に固定される際には、当該当接片が当該対象物に当接して撓み、弾性復元力により元の形状に戻ろうとする力が働くため、当該当接片は、常に対象物に圧接することになる。したがって、対象物の板厚が変化した場合であっても、当接片の前記撓みによって、保持具が対象物に対しガタツクことを防止することができる。よって、様々な板厚の対象物に対応することができ、汎用性を向上することができる。
【発明の効果】
【００２２】
本発明にかかる保持具は、第１の係合脚部、第２の係合脚部及び第３の係合脚部の各々に形成された係合爪を対象物に係合させることで、当該対象物に固定される構成を備えているため、ロック片がロック状態にあり、保持部に長尺体が保持されている場合は勿論のこと、前記ロック片のロックが解除されている場合であっても、シャーシや基板等の対象物から保持具が落下したり外れたりすることを防止することができる。この結果、信頼性が高く、作業性が向上した保持具を提供することができる。
【００２３】
また、本発明にかかる保持具は、前記保持部によって画定される空間内に大径の長尺体を保持させたり、多数の長尺体を保持させる等の目的で、前記保持部によって画定される空間を大きくした場合であっても、ヒンジ部の位置を変更することなく、当該空間を大きくすることができる。したがって、前記空間の大きさに関わらず、ロック片を受領部に最適な方向から受領させることができ、ロック片をスムーズに受領させることができる。この結果、信頼性が高く、作業性が向上した保持具を提供することができる。
【発明を実施するための最良の形態】
【００２４】
次に、本発明の好適な実施の形態にかかる保持具について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２５】
図１は、本発明の実施の形態にかかる保持具の斜視図であって、ロック片が受領部に受領されていない状態（非ロック状態）を示す図、図２は、図１に示す保持具の正面図、図３は、図２に示す保持具の右側面図、図４は、図２に示す保持具の左側面図、図５は、図２に示す保持具の平面図、図６は、図２に示す保持具の底面図、図７は、図１に示す保持具の正面図であって、ロック片が受領部に受領されている状態（ロック状態）を示す図、図８は、図１に示す保持具を対象物であるシャーシに固定する途中の状態を一部断面として示す正面図、図９は、図１に示す保持具をシャーシに固定した状態を一部断面として示す正面図、図１０は、図８及び図９に示すシャーシに形成された係合穴の平面図、図１１は、図９に示すXI−XI線に沿った断面図、図１２は、図９に示す保持具のロック片を受領部に受領させた状態（ロック状態）を示す図、図１３は、図１２に示すXIII−XIIIに沿った断面図、図１４は、図１２に示す保持具の左側面図、図１５は、図１２に示す保持具に長尺体を保持させた状態を示す図である。
【００２６】
なお、前記各図では、説明を判り易くするため、各部材の厚さやサイズ、拡大・縮小率等は、実際のものとは一致させずに記載した。また、本実施の形態では、保持具を対象物としてのシャーシに固定する際に、シャーシに向かう方向を「下」、シャーシから離れる方向を「上」として説明する。
【００２７】
図１〜図１５に示すように、本実施の形態にかかる保持具１は、全体が樹脂から形成されており、例えば、電線や細長い部品等の長尺体１００（図１５参照）を保持する保持部１０と、保持部１０の底面に配設され、保持部１０を対象物としてのシャーシ２００に形成された係合穴２０１（図８〜図１５参照）に挿脱可能に挿入され、保持部１０をシャーシ２００に着脱可能に固定する取付部５０とを備えて構成されている。
【００２８】
保持部１０は、ベース１１と、ベース１１の一端に連続して形成され、ベース１１と共に長尺体１００を挟持する挟持部２０と、挟持部２０の自由端に形成されたロック片３０とを備えている。
【００２９】
ベース１１は、保持具１がシャーシ２００に取付けられた際に、シャーシ２００の表面とほぼ平行となる面を有し、挟持部２０が形成されている端部とは反対側の端部（以下、こちら側をベースの「先端」という）には、ロック片３０を受領して着脱可能にロックする受領部１２が形成されている。この受領部１２には、特に図５に示すように、平面視で略四角形を備え、ロック片３０を抜脱可能に挿入する挿入穴１３が下方に向けて貫通形成されている。この挿入穴１３を画定する壁部のうち、ベース１１の先端側に位置する壁部の上端部には、後に詳述するロック片３０に形成された略鉤型状のロック爪３１が係止される係止部１５が形成されている。
【００３０】
挟持部２０は、ベース１１に上方に向けて立設された立設部２１と、立設部２１の上端（ベース１１から離れた端部）から略垂直に屈曲された挟持片２２とを備えている。立設部２１は、ベース１１の一端に連続的に形成された第１の立設部２３と、第１の立設部２３の上端に連続的に形成されたヒンジ部２４と、ヒンジ部２４の上端に連続的に形成された第２の立設部２５とを備えている。ヒンジ部２４は、第１の立設部２３及び第２の立設部２５よりも肉薄に形成されており、第２の立設部２５は、ヒンジ部２４を介して第１の立設部２３に対し回動可能となる。
【００３１】
挟持片２２は、図２、図７〜図９等に示すように、正面視で略Ｌ字状を有し、略Ｌ字状を画定する屈曲部を挟んで第２の立設部２５側となる第１の挟持片２７と、前記屈曲部を挟んでロック片３０側となる第２の挟持片２８から構成されている。第１の挟持片２７は、ロック片３０を受領部１２に受領してロックした際に、ベース１１に対向配置され、第２の挟持片２８は、ロック片３０を受領部１２に受領してロックした際に、立設部２１に対向配置される。
【００３２】
なお、本実施の形態では、ヒンジ部２４の位置（高さ）が、受領部１２に形成された挿入穴１３の上縁端の位置（高さ）とほぼ一致するように構成した。また、後に詳述するが、保持部１０によって画定される長尺体１００を保持するための空間のサイズは、第２の立設部２５の長さと、第２の挟持片２８の長さを変更することで任意に決定することができる。したがって、ヒンジ部２４の位置を変更することなく、前記空間のサイズを変更することができるため、当該空間のサイズに応じて、ヒンジ部２４と挿入穴１３の上縁端とが異なった高さになることがない。このため、挿入穴１３にロック片３０を挿入する際に、ロック片３０の方向が斜めになったりすることがなく、ロック片３０を最適な方向から受領部１２に受領させることができ、ロック片３０をスムーズに受領させる（挿入する）ことができる。
【００３３】
ロック片３０は、第２の挟持片２８の先端に連続的に形成されており、挟持片２２よりも肉薄に形成されている。このロック片３０は、図２、図７〜図９等に示すように、正面視で弾性屈曲部３２を頂点とした略Ｖ字状に形成され、その先端には、弾性屈曲部３２を支点として屈曲角度が小さくなる方向にロック片３０を屈曲させるための操作部３３が形成されている。また、ロック片３０の、弾性屈曲部３２と操作部３３との略中間位置には、受領部１２に形成された係止部１５に係止されるロック爪３１が形成されている。そして、ロック片３０は、受領部１２に形成された挿入穴１３に挿入されて受領部１２に受領されると、後に詳述する取付部５０の構成要素である第１の係合脚部５１と第２の係合脚部５２との間に位置することになる。（図１３参照）。
【００３４】
取付部５０は、ベース１１に形成された受領部１２の側壁のうち、受領部１２に形成された係止部１５の長手方向両側となる側壁から下方に向けて延出された第１の係合脚部５１及び第２の係合脚部５２と、ベース１１の底面から下方に向けて延出され且つ第１の係合脚部５１及び第２の係合脚部５２よりも第１の立設部２３側に位置する第３の係合脚部５３と、ベース１１の底面から下方に向けて延出され且つ第１の係合脚部５１及び第２の係合脚部５２と、第３の係合脚部５３との間に位置する係止部５５と、ベース１１の底面から斜め下方に向けて延出され且つ第１の係合脚部５１第２の係合脚部５２よりも先端側に位置する当接片５６と、ベース１１の底面から斜め下方に向けて延出され且つ第３の係合脚部５３よりも第１の立設部２３側に位置する当接片５７とを備えている。
【００３５】
第１の係合脚部５１及び第２の係合脚部５２は、互いに所定の間隔をおいて対向配置されており、互いに近づく方向に傾斜するように弾性変形可能な薄板状を備えている。第１の係合脚部５１及び第２の係合脚部５２の各々の自由端（下端）には、略鉤型状の係合爪６１及び６２が各々外側に向けて形成されている。したがって、第１の係合脚部５１及び第２の係合脚部５２が、シャーシ２００に形成された係合穴２０１に挿入された際、係合爪６１及び６２は、係合穴２０１を画定する縁部に向けられることになる。これらの係合爪６１及び６２の前記縁部に対向した面は、下端から上端に向けて徐々に当該縁部に近づくテーパ面となっている。
【００３６】
なお、第１の係合脚部５１の第２の係合脚部５２が配設される側とは反対側の面５１Ａから、第２の係合脚部５２の第１の係合脚部５１が配設される側とは反対側の面５２Ａまでの距離は、係合穴２０１の幅Ｗ（図１０及び図１１参照）よりも若干長く設計されており、第１の係合脚部５１と第２の係合脚部５２が係合穴２０１に挿入される際は、第１の係合脚部５１と第２の係合脚部５２が互いに近づく方向に向けて弾性変形し、挿入された後は、弾性復元して面５１Ａ及び面５２Ａが、係合穴２０１を画定する縁部を各々押圧すると共に、係合爪６１及び６２がシャーシ２００に係合するようになっている。また、前記係合を解除して、第１の係合脚部５１及び第２の係合脚部５２を係合穴２０１から取外す場合は、面５２Ａ及び５２Ｂを指等で摘んで軽く押すことで、第１の係合脚部５１及び第２の係合脚部５２を互いに近づく方向に向けて弾性変形させればよい。したがって、面５２Ａ及び５２Ｂは、第１の係合脚部５１及び第２の係合脚部５２を互いに近づく方向に向けて弾性変形させるための押圧操作部を構成することになる。
【００３７】
また、第１の係合脚部５１の面５１Ａとは反対側の面５１Ｂと、第２の係合脚部５２の面５２Ａとは反対側の面５２Ｂとの距離は、ロック片３０が、受領部１２に形成された挿入穴１３に挿入された際に、ロック片３０が面５１Ｂ及び５２Ｂの両方に当接し、第１の係合脚部５１及び第２の係合脚部５２を互いに離れる方向に押圧可能な距離に設定されている。したがって、第１の係合脚部５１及び第２の係合脚部５２がシャーシ２００に形成された係合穴２０１に挿入されており、且つロック片３０が受領部１２に受領されている際は、第１の係合脚部５１の面５１Ｂと第２の係合脚部５２の面５２Ｂが、係合穴２０１を画定する縁部を押圧し、係合爪６１及び６２とシャーシ２００との係合を確実に維持することができる。
【００３８】
第３の係合脚部５３は、第１の係合脚部５１及び第２の係合脚部５２に向けて傾斜するように弾性変形可能な薄板状を備えている。第３の係合脚部５３の自由端（下端）には、略鉤型状の係合爪６３が外側（第１の係合脚部５１の第２の係合脚部５２から離れる方向）に向けて形成されている。したがって、第３の係合脚部５３が、シャーシ２００に形成された係合穴２０１に挿入された際、係合爪６３は、係合穴２０１を画定する縁部に向けられることになる。
【００３９】
なお、第３の係合脚部５３の第１の係合脚部５１及び第２の係合脚部５２が配設される側とは反対側の面５３Ａから、第１の係合脚部５１の先端面（あるいは第２の係合脚部５２の先端面）までの距離は、係合穴２０１の長さＬ（図１０及び図１１参照）よりも若干長く設計されており、第３の係合脚部５３が係合穴２０１に挿入される際は、第３の係合脚部５３が、第１の係合脚部５１及び第２の係合脚部５２に近づく方向に向けて弾性変形し、挿入された後は、弾性復元して面５３Ａが、係合穴２０１を画定する縁部を押圧すると共に、係合爪６３がシャーシ２００に係合するようになっている。
【００４０】
なお、第１の係合脚部５１、第２の係合脚部５２及び第３の係合脚部５３のサイズや配設位置等は、保持具１が固定されるシャーシ２００に予め形成されている穴（係合穴２０１）の形状やサイズによって決定することができる。したがって、シャーシ２００に予め穴が形成されている場合には、その穴を係合穴２０１として使用することもでき、この場合は、シャーシ２００に保持具１を固定するための係合穴２０１を積極的に形成する必要がない。
【００４１】
係止部５５は、第３の係合脚部５３が第１の係合脚部５１及び第２の係合脚部５２に向けて傾斜するように弾性変形した際に、第３の係合脚部５３に当接し、第３の係合脚部５３がこれ以上傾斜すること（弾性変形すること）を阻止するデッドストップの役割を果たすものである。
【００４２】
当接片５６及び５７は、ベース１１に連続形成される基点よりも下端（先端）が外側に位置するように且つ若干外側に湾曲して斜め下方に向けて延出されている。これらの当接片５６及び５７は、保持具１がシャーシ２００に固定された際に、先端がシャーシ２００の上面に当接し、これによって応力を受けて撓む（弾性変形する）サイズを有している。したがって、保持具１がシャーシ２００に固定された際には、弾性復元力により元の形状に戻ろうとする力が、当接片５６及び５７に働くため、当接片５６及び５７は、常にシャーシ２００に圧接することになる。
【００４３】
次に、本実施の形態にかかる保持具１の具体的動作について説明する。なお、保持具１が固定されるシャーシ２００には、保持具１を固定するための係合穴２０１が貫通形成されている。
【００４４】
保持具１をシャーシ２００に固定するには、先ず、図８に示すように、第１の係合脚部５１、第２の係合脚部５２及び第３の係合脚部５３の各々の先端に形成されている係合爪６１〜６３を、係合穴２０１を画定している縁部に合わせて、第１の係合脚部５１、第２の係合脚部５２及び第３の係合脚部５３を係合穴２０１内に押し込む。この時、係合爪６１〜６３のテーパ面が、当該縁部に沿って滑り、第１の係合脚部５１、第２の係合脚部５２及び第３の係合脚部５３が押圧され、第１の係合脚部５１及び第２の係合脚部５２が互いに近づく方向に傾斜するように弾性変形し、第３の係合脚部５３が、第１の係合脚部５１及び第２の係合脚部５２に近づく方向に傾斜するように弾性変形するため、第１の係合脚部５１、第２の係合脚部５２及び第３の係合脚部５３を係合穴２０１内に簡単に挿入することができる。
【００４５】
この挿入時に、第３の係合脚部５３が係止部５５に当接した場合は、第３の係合脚部５３は係止部５５に係止されて、これ以上傾斜すること（弾性変形すること）が阻止される。したがって、第３の係合脚部５３が限界を越えて弾性変形することがないため、第３の係合脚部５３の弾性変形及び弾性復元の寿命を向上させることができる。また、第１の係合脚部５１と第２の係合脚部５２が当接した場合は、お互いが係止し合い、これ以上傾斜すること（弾性変形すること）が阻止される。したがって、第１の係合脚部５１及び第２の係合脚部５２が限界を越えて弾性変形することがないため、第１の係合脚部５１及び第２の係合脚部５２の弾性変形及び弾性復元の寿命を向上させることができる。
【００４６】
なお、この挿入時には、第１の係合脚部５１の面５１Ａと第２の係合脚部５２の面５２Ａを指等で摘んで軽く押し、第１の係合脚部５１及び第２の係合脚部５２を互いに近づく方向に向けて弾性変形させてもよい。
【００４７】
次に、係合爪６１〜６３が係合穴２０１を貫通すると、図９に示すように、第１の係合脚部５１、第２の係合脚部５２及び第３の係合脚部５３が弾性復元して、面５１Ａ〜５３Ａの各々が係合穴２０１を画定する縁部に当接して押圧すると共に、係合爪６１〜６３の各々がシャーシ２００の底面に係合する。この時、係合穴２０１を画定する縁部は、面５１Ａ、面５２Ａ、面５３Ａの３点で当接され、且つ、シャーシ２００は、係合爪６１、係合爪６２と、これらの係合爪６１及び６２とは約９０度ずれた方向に突出した係合爪６３の３点で係合されるため、保持具１は、安定した状態でシャーシ２００に固定される。また、同時に、当接片５６及び５７がシャーシ２００の上面に当接して撓み、その弾性復元力により元の形状に戻ろうとする力が働くため、当接片５６及び５７は、常にシャーシ２００に圧接するため、保持具１は、より安定した状態でシャーシ２００に確実に固定される。
【００４８】
次に、図９に示す状態の保持部１０に複数の長尺体を載置し、ヒンジ部２４を支点として、第２の立設部２５からロック片３０までを構成する部分を、保持部１０が閉じる方向に回動させ、図１５に示すようにロック片３０を、受領部１２に形成された挿入穴１３に挿入する。挿入穴１３に挿入されたロック片３０は、ロック爪３１が係止部１５に係止されて挿入穴１３から抜けないようにロックされる。この時、ヒンジ部２４の高さと、挿入穴１３の上縁端の高さが略同一であるため、挿入穴１３にロック片３０を挿入する際に、ロック片３０の方向が斜めになったりすることがなく、ロック片３０を挿入穴１３に最適な方向から挿入することができる。したがって、ロック作業をスムーズに行うことができる。
【００４９】
また、このようにして受領部１２に受領されたロック片３０は、図１３に示すように、第１の係合脚部５１と第２の係合脚部５２との間に挿入され、面５１Ｂ及び５２Ｂの両方に当接し、第１の係合脚部５１と第２の係合脚部５２を互いに離れる方向に押圧（すなわち、係合穴２０１を画定する縁部に押圧）し、且つ、係合爪６１及び６２とシャーシ２００との係合を確実に維持することになる。
【００５０】
次に、ロック片３０を受領部１２から抜脱する際は、操作部３３を指等で摘んで弾性屈曲部３２を支点として屈曲角度が小さくなる方向にロック片３０を屈曲させれば、係合爪３１と係止部１５との係合が解除され、ロック片３０を受領部１２から簡単に抜取ることができる。なお、ロック片３０が受領部１２に受領されていない（ロック状態でない）場合であっても、保持具１は、前述したように、面５１Ａ、面５２Ａ、面５３Ａが係合穴２０１を画定する縁部に当接し、係合爪６１〜６３がシャーシ２００の底面に係合すると共に、当接片５６及び５７がシャーシ２００の上面に当接しているため、保持具１がシャーシ２００から不意に外れることが防止される。
【００５１】
また、シャーシ２００から保持具１を取外す際は、第１の係合脚部５１の面５１Ａと第２の係合脚部５２の面５２Ａを指等で摘んで第１の係合脚部５１と第２の係合脚部５２を互いに近づく方向に傾くように弾性変形させれば、第１の係合脚部５１と第２の係合脚部５２を係合穴２０１から簡単に取外すことができる。
【００５２】
なお、保持具１は、さらに多数の長尺体や大きな径の長尺体を保持部１０に保持させるため、保持部１０が画定する内部空間を大きくする場合は、図１６及び図１７に示すように、第２の立設部２５の長さと、第２の挟持片２８の長さを長くすればよい。したがって、図１６及び図１７に示す保持具１であっても、ヒンジ部２４と、受領部１２に形成された挿入穴１３の上縁端の高さは、図１〜図１５に示す保持具１と同じにしておくことができる。このため、保持部１０が画定する内部空間を大きくした場合であっても、ロック片３０を挿入穴１３にスムーズに挿入させることができる。
【００５３】
また、本実施の形態では、図２、図７〜図９等に示すように、第１の挟持片２７をベース１１に対し略垂直にした際に、ヒンジ部２４が斜めに配設される構成としたが、これに限らず、本発明にかかる保持具１は、例えば、図１８に示すように、ヒンジ部２４を第１の立設部２３と同じ角度（図１８の場合は、ベース１１に対して略垂直）で配設してもよい。この場合も、図１８及び図１９に示すように、ヒンジ部２４と受領部１２に形成された挿入穴１３の上縁端の高さをほぼ同一にすることができ、ロック片３０を挿入穴１３にスムーズに挿入させることができる。
【００５４】
そしてまた、本実施の形態では、図１０に示すように、シャーシ２００に形成される係合穴２０１が平面視で略長方形の場合について説明したが、これに限らず、本発明にかかる保持具１は、第１の係合脚部５１、第２の係合脚部５２及び第３の係合脚部５３のサイズや配設位置等を、係合穴２０１の形状やサイズによって決定することができるため、係合穴２０１の形状は、例えば、図２０に示すように、平面視で略Ｔ字状であってもよい。また、係合穴２０１は、所望により他の形状であってもよい。
【００５５】
さらにまた、本発明にかかる保持具は、取付部５０を他の形状の保持部に取付けた構成を有していてもよく、保持部１０に他の形状の取付部を取付けた構成を有していてもよいことは勿論である。
【図面の簡単な説明】
【００５６】
【図１】本発明の実施の形態にかかる保持具の斜視図であって、ロック片が受領部に受領されていない状態（非ロック状態）を示す図である。
【図２】図１に示す保持具の正面図である。
【図３】図２に示す保持具の右側面図である。
【図４】図２に示す保持具の左側面図である。
【図５】図２に示す保持具の平面図である。
【図６】図２に示す保持具の底面図である。
【図７】図１に示す保持具の正面図であって、ロック片が受領部に受領されている状態（ロック状態）を示す図である。
【図８】図１に示す保持具を対象物であるシャーシに固定する途中の状態を一部断面として示す正面図である。
【図９】図１に示す保持具をシャーシに固定した状態を一部断面として示す正面図である。
【図１０】図８及び図９に示すシャーシに形成された係合穴の平面図である。
【図１１】図９に示すXI−XI線に沿った断面図である。
【図１２】図９に示す保持具のロック片を受領部に受領させた状態（ロック状態）を示す図である。
【図１３】図１２に示すXIII−XIIIに沿った断面図である。
【図１４】図１２に示す保持具の左側面図である。
【図１５】図１２に示す保持具に長尺体を保持させた状態を示す図である。
【図１６】本発明の他の実施の形態にかかる保持具の、ロック片が受領部に受領されていない状態（非ロック状態）を示す正面図である。
【図１７】図１６に示す保持具に長尺体を保持させ、ロック片を受領部に受領させた状態（ロック状態）を示す図である。
【図１８】本発明の他の実施の形態にかかる保持具の、ロック片が受領部に受領されていない状態（非ロック状態）を示す正面図である。
【図１９】図１８に示す保持具のロック片を受領部に受領させた状態（ロック状態）を示す図である。
【図２０】本発明の他の実施の形態にかかるシャーシに形成された係合穴の平面図である。
【符号の説明】
【００５７】
１    保持具
１０    保持部
１１    ベース
１２    受領部
１３    挿入穴
２０    挟持部
２１    立設部
２２    挟持片
３０    ロック片
５０    取付部
５１    第１の係合脚部
５２    第２の係合脚部
５３    第３の係合脚部
５５    係止部
５６、５７    当接片
６１、６２、６３    係合爪
１００    長尺体
２００    シャーシ
２０１    係合穴
【図１】
2009068562.tif 000003
【図２】
2009068562.tif 000004
【図３】
2009068562.tif 000005
【図４】
2009068562.tif 000006
【図５】
2009068562.tif 000007
【図６】
2009068562.tif 000008
【図７】
2009068562.tif 000009
【図８】
2009068562.tif 000010
【図９】
2009068562.tif 000011
【図１０】
2009068562.tif 000012
【図１１】
2009068562.tif 000013
【図１２】
2009068562.tif 000014
【図１３】
2009068562.tif 000015
【図１４】
2009068562.tif 000016
【図１５】
2009068562.tif 000017
【図１６】
2009068562.tif 000018
【図１７】
2009068562.tif 000019
【図１８】
2009068562.tif 000020
【図１９】
2009068562.tif 000021
【図２０】
2009068562.tif 000022